(57)【要約】【課題】棒状部材が挿通孔の内周に当接したときの水平方向の衝撃を緩衝する衝撃緩衝性を向上させて、その衝撃によって振動発生機器が破損することを抑制する。【解決手段】上架台２に、水平方向に延びる上側水平板部２３を設ける。下架台３に、水平方向に延びる下側水平板部３３を上側水平板部２３と上下方向に対向するように設ける。揺れ止め装置５は、その上端側が上側水平板部２３に設けられた挿通孔２３ａに挿通された状態で、その下端側が下側水平板部３３に弾性的に固定された長ねじボルト５０と、この長ねじボルト５０に設けられ、上架台２の上下方向の揺れを抑制するためのストッパ５３，５４とを有している。【選択図】図３
2013245796.tif 000002
【特許請求の範囲】
【請求項１】
振動発生機器が載置される上架台と、該上架台の下側に設けられた下架台と、該両架台の間に設けられた防振部材と、上記両架台の間に設けられた揺れ止め装置とを備えている防振架台であって、
上記上架台には、水平方向に延びる上側水平板部が設けられており、
上記下架台には、水平方向に延びる下側水平板部が上記上側水平板部と上下方向に対向するように設けられており、
上記揺れ止め装置は、その一端側が上記両水平板部の一方に設けられた挿通孔に挿通された状態で、その他端側が上記両水平板部の他方に弾性的に固定された棒状部材と、該棒状部材に設けられ、上記上架台の上下方向の揺れを抑制するためのストッパとを有していることを特徴とする防振架台。
【請求項２】
請求項１記載の防振架台において、
上記両水平板部の他方には、固定孔が上記挿通孔に上下方向に対向するように形成されており、
上記棒状部材の他端側には、筒状のゴム部材が外嵌されており、
上記棒状部材は、その他端側が上記固定孔に上記ゴム部材を介して挿嵌固定されていることを特徴とする防振架台。
【請求項３】
請求項１又は２記載の防振架台において、
上記挿通孔は、上記両水平板部の一方としての上記上側水平板部に形成されており、
上記固定孔は、上記両水平板部の他方としての上記下側水平板部に形成されていることを特徴とする防振架台。
【請求項４】
請求項１〜３のいずれか１つに記載の防振架台において、
上記棒状部材の一端側における上記挿通孔に対向する部分には、筒状の第２ゴム部材が外嵌されていることを特徴とする防振架台。
【発明の詳細な説明】
【技術分野】
【０００１】
本発明は、振動発生機器が載置される上架台と、この上架台の下側に設けられた下架台と、これらの両架台の間に設けられた防振部材と、両架台の間に設けられた揺れ止め装置とを備えている防振架台に関するものである。
【背景技術】
【０００２】
上架台に載置した振動発生機器から発生して上架台に伝わってきた振動を、上架台と下架台との間に設けた防振部材によって絶縁、吸収して、それを下架台に伝えないようにする防振架台が従来技術として知られている。
【０００３】
以下、特許文献１により従来の防振架台について説明する。この防振架台は、荷重担持面に設置される下枠（下架台）と、振動発生機器が設置される上枠（上架台）と、下枠と上枠との間に配置される防振部材と、下枠と上枠とを近接離間可能なように連結する連結手段とを備えている。この連結手段は、下枠に形成された下側連結孔と、上枠に形成された上側連結孔と、これらの下側及び上側連結孔に挿通される連結ボルトと、この連結ボルトを下枠に固定する固定ナットとを有している。また、連結ボルトの根元部分は非円形に形成されており、下側連結孔は連結ボルトの根元部分と嵌合する非円形に形成されている。これによれば、連結ボルトが振動等によって不必要に回転して固定ナットが緩むことを抑制することができる。
【先行技術文献】
【特許文献】
【０００４】
【特許文献１】特開２００６−２００７０５号公報
【発明の概要】
【発明が解決しようとする課題】
【０００５】
ところで、従来の防振架台は、振動発生機器が地震等によって大きく振動したときには、連結ボルトが上側連結孔の内周に当接することにより、上枠が水平方向に揺れることが抑制される。
【０００６】
しかしながら、従来の防振架台は、連結ボルトが上側連結孔の内周に当接したときの水平方向の衝撃を緩衝する衝撃緩衝性に欠け、その衝撃によって振動発生機器が破損する（例えば、その内部構造が破損する）虞があるという課題がある。
【０００７】
本発明は、かかる点に鑑みてなされたものであり、その課題とするところは、棒状部材が挿通孔の内周に当接したときの水平方向の衝撃を緩衝する衝撃緩衝性を向上させて、その衝撃によって振動発生機器が破損することを抑制することにある。
【課題を解決するための手段】
【０００８】
上記の課題を解決するため、本発明は、棒状部材の一端側を上側及び下側水平板部の一方に弾性的に固定したことを特徴とする。
【０００９】
具体的には、本発明は、振動発生機器が載置される上架台と、該上架台の下側に設けられた下架台と、該両架台の間に設けられた防振部材と、上記両架台の間に設けられた揺れ止め装置とを備えているを対象とし、次のような解決手段を講じた。
【００１０】
すなわち、第１の発明は、上記上架台には、水平方向に延びる上側水平板部が設けられており、上記下架台には、水平方向に延びる下側水平板部が上記上側水平板部と上下方向に対向するように設けられており、上記揺れ止め装置は、その一端側が上記両水平板部の一方に設けられた挿通孔に挿通された状態で、その他端側が上記両水平板部の他方に弾性的に固定された棒状部材と、該棒状部材に設けられ、上記上架台の上下方向の揺れを抑制するためのストッパとを有していることを特徴とするものである。
【００１１】
これによれば、棒状部材を、その一端側を両水平板部の一方に設けられた挿通孔に挿通した状態で、その他端側を両水平板部の他方に弾性的に固定したため、上架台が水平方向に揺れて、棒状部材が挿通孔の内周に当接すると、棒状部材が水平方向に傾き、この傾きによって棒状部材が挿通孔の内周に当接したときの水平方向の衝撃を緩衝する衝撃緩衝ストローク及び衝撃緩衝時間が長くなり、その衝撃が効果的に緩衝される。このため、棒状部材が挿通孔の内周に当接したときの水平方向の衝撃を緩衝する衝撃緩衝性が向上して、その衝撃によって振動発生機器が破損する（例えば、その内部構造が破損する）ことが抑制される。
【００１２】
第２の発明は、上記第１の発明において、上記両水平板部の他方には、固定孔が上記挿通孔に上下方向に対向するように形成されており、上記棒状部材の他端側には、筒状のゴム部材が外嵌されており、上記棒状部材は、その他端側が上記固定孔に上記ゴム部材を介して挿嵌固定されていることを特徴とするものである。
【００１３】
これによれば、本発明の最良の実施形態の１つが実現される。
【００１４】
第３の発明は、上記第１又は第２の発明において、上記挿通孔は、上記両水平板部の一方としての上記上側水平板部に形成されており、上記固定孔は、上記両水平板部の他方としての上記下側水平板部に形成されていることを特徴とするものである。
【００１５】
これによれば、防振架台をその下側から組み立てる場合、その組立性が向上する。
【００１６】
第４の発明は、上記第１〜第３のいずれか１つの発明において、上記棒状部材の一端側における上記挿通孔に対向する部分には、筒状の第２ゴム部材が外嵌されていることを特徴とするものである。
【００１７】
これによれば、棒状部材の一端側における挿通孔に対向する部分に、減衰材としての筒状の第２ゴム部材を外嵌しているため、棒状部材が挿通孔の内周に当接したときの水平方向の衝撃がその第２ゴム部材によってより一層効果的に緩衝される。このため、棒状部材が挿通孔の内周に当接したときの水平方向の衝撃を緩衝する衝撃緩衝性がより一層向上して、その衝撃によって振動発生機器が破損することがより一層抑制される。
【発明の効果】
【００１８】
本発明によれば、棒状部材を、その一端側を両水平板部の一方に設けられた挿通孔に挿通した状態で、その他端側を両水平板部の他方に弾性的に固定したため、上架台が水平方向に揺れて、棒状部材が挿通孔の内周に当接すると、棒状部材が水平方向に傾き、この傾きによってその当接時の水平方向の衝撃を緩衝する衝撃緩衝ストローク及び衝撃緩衝時間が長くなり、その衝撃が効果的に緩衝され、このため、その当接時の水平方向の衝撃を緩衝する衝撃緩衝性が向上して、その衝撃によって振動発生機器が破損することが抑制される。
【図面の簡単な説明】
【００１９】
【図１】本発明の実施形態に係る防振架台を示す正面図である。
【図２】防振架台を示す平面図である。
【図３】揺れ止め装置を示す断面図である。
【発明を実施するための形態】
【００２０】
以下、本発明の実施形態を図面に基づいて詳細に説明する。
【００２１】
図１は、本発明の実施形態に係る防振架台１を示す正面図、図２は、防振架台１を示す平面図、図３は、揺れ止め装置５を示す断面図である。
【００２２】
図１〜図３に示すように、防振架台１は、空調装置の室外機（不図示）等の、振動を発生する機器（この機器を以下、振動発生機器という）が載置される矩形枠状の上架台２と、この上架台２の下側にこれと対向するように設けられ、床面等の、水平方向に延びる設置面上に設置される矩形枠状の下架台３と、これらの両架台２，３の間に設けられたアイソレーター４（防振部材）と、両架台２，３の間に設けられた揺れ止め装置５とを備えている。尚、図１〜図３は、上架台２に振動発生機器が載置された状態を示している。
【００２３】
上記上架台２は、断面略矩形状の４本の角形鋼管を有している。これらの角形鋼管は、互いに対向するように設けられた、上架台２の長辺側の一対の長辺側角形鋼管２０，２０と、互いに対向するように設けられた、その短辺側の一対の短辺側角形鋼管２１，２１とで構成されている。
【００２４】
互いに相隣り合う長辺側及び短辺側角形鋼管２０，２１は、それぞれ、金属製上側耐震ブラケット２２によって連結結合されている。各上側耐震ブラケット２２は、水平方向に延びる略正方形状の上側水平板部２３と、この上側水平板部２３の長辺側角形鋼管２０側の端部に上側に延びるように設けられた矩形状の長辺側鉛直板部２４と、上側水平板部２３の短辺側角形鋼管２１側の端部に上側に延びるように設けられた矩形状の短辺側鉛直板部２５とで構成されている。長辺側鉛直板部２４は、長辺側角形鋼管２０側の面に長辺側角形鋼管２０の端部が接合されている。短辺側鉛直板部２５は、長辺側角形鋼管２０側の端部が長辺側鉛直板部２４と連結していて、短辺側角形鋼管２１側の面に短辺側角形鋼管２１の端部が接合されている。上側水平板部２３は、長辺側及び短辺側鉛直板部２４，２５の下端部同士を互いに連結している。上側水平板部２３の中央部には、その厚み方向に貫通する円状の挿通孔２３ａが形成されている。
【００２５】
上記下架台３は、断面略矩形状の４本の角形鋼管を有している。これらの角形鋼管は、互いに対向するように設けられた、下架台３の長辺側の一対の長辺側角形鋼管３０，３０と、互いに対向するように設けられた、その短辺側の一対の短辺側角形鋼管３１，３１とで構成されている。
【００２６】
互いに相隣り合う長辺側及び短辺側角形鋼管３０，３１は、それぞれ、金属製下側耐震ブラケット３２によって連結結合されている。各下側耐震ブラケット３２は、水平方向に延びる略正方形状の下側水平板部３３と、この下側水平板部３３の長辺側角形鋼管３０側の端部に下側に延びるように設けられた矩形状の長辺側鉛直板部３４と、下側水平板部３３の短辺側角形鋼管３１側の端部に下側に延びるように設けられた矩形状の短辺側鉛直板部３５とで構成されている。長辺側鉛直板部３４は、長辺側角形鋼管３０側の面に長辺側角形鋼管３０の端部が接合されている。短辺側鉛直板部３５は、長辺側角形鋼管３０側の端部が長辺側鉛直板部３４と連結していて、短辺側角形鋼管３１側の面に短辺側角形鋼管３１の端部が接合されている。下側水平板部３３は、上側水平板部２３と上下方向に対向するように設けられていて、長辺側及び短辺側鉛直板部３４，３５の上端部同士を互いに連結している。下側水平板部３３の中央部には、その厚み方向に貫通する円状の固定孔３３ａが形成されている。この固定孔３３ａは、挿通孔２３ａと上下方向に対向するように設けられている。
【００２７】
上記アイソレーター４は、振動発生機器から発生して上架台２に伝わってきた振動を絶縁、吸収して、それを下架台３に伝えないようにするためのものであり、上下各対の長辺側角形鋼管２０，３０の間に上下方向に延びるように２つずつ設けられている。ここでは、アイソレーター４の構成の詳細な説明は省略するが、アイソレーター４としては、例えば、従来既知のものが用いられる。
【００２８】
上記揺れ止め装置５は、振動発生機器が振動することにより上架台２が上下方向及び水平方向に揺れることを止めるためのものであり、上下各対の上側及び下側耐震ブラケット２２，３２の間に上下方向に延びるようにそれぞれ設けられている。揺れ止め装置５は、上記挿通孔２３ａ及び固定孔３３ａに加えて、その上端側（一端側）が上側水平板部２３の挿通孔２３ａに挿通された状態で、その下端側（他端側）が下側水平板部３３の固定孔３３ａに弾性的に固定支持された金属製長ねじ（寸切り）ボルト５０（棒状部材）と、この長ねじボルト５０に設けられ、上架台２の上下方向の揺れを抑制するためのストッパとを有している。
【００２９】
長ねじボルト５０は、上下方向に延びるように設けられている。長ねじボルト５０の上端側には、円筒状の金属製内部挿入管５１が外嵌されている。この内部挿入管５１の軸方向中央部には、円筒状の高減衰ゴムブッシュ５２（第２ゴム部材）が外嵌されている。このゴムブッシュ５２は、その軸方向中央部が挿通孔２３ａと対向するように設けられていて、挿通孔２３ａとの間に隙間が形成されている。ゴムブッシュ５２は、その長さが内部挿入管５１よりも若干短くなっている。このため、内部挿入管５１は、その軸方向両端部がゴムブッシュ５２よりも軸方向外側に突出している。ゴムブッシュ５２の外周には、軸方向に延びる複数の溝（不図示）が、互いに所定間隔を開けて形成されている。
【００３０】
また、長ねじボルト５０の上端側には、雌ねじの形成された略トラック状の上下一対の金属製揺れ止め緩衝ワッシャ５３，５３が、内部挿入管５１を上下方向両側から挟み込むようにそれぞれ螺合されている。これらの揺れ止め緩衝ワッシャ５３，５３は、内部挿入管５１によって互いに所定間隔が開くように位置決めされている。
【００３１】
さらに、長ねじボルト５０の上端側には、円環状の揺れ止め緩衝ゴム５４が、各揺れ止め緩衝ワッシャ５３の軸方向内側の面に接触するように設けられている。この揺れ止め緩衝ゴム５４は、揺れ止め緩衝ワッシャ５３側の外側部分５４ａと、この外側部分５４ａの軸方向内側の面に一体に形成され、内径が軸方向内側に行くに従って拡径する一方、外径が軸方向内側に行くに従って縮径する横断面略半円状の内側部分５４ｂとで構成されている。外側部分５４ａは、内部挿入管５１との間に隙間が形成されているとともに、その内周側がゴムブッシュ５２の軸方向端面に接触している。内側部分５４ｂは、ゴムブッシュ５２との間に隙間が形成されているとともに、上側水平板部２３との間に隙間が形成されている。尚、揺れ止め緩衝ワッシャ５３及び揺れ止め緩衝ゴム５４が上記ストッパを構成している。
【００３２】
また、長ねじボルト５０の上端側には、金属製ナット５５が、上側の揺れ止め緩衝ワッシャ５３の上面に接触するように螺合されている。このナット５５は、上架台２に振動発生機器が載置された状態で、ゴムブッシュ５２の軸方向中央部が挿通孔２３ａと対向するように、その位置が設定されている。
【００３３】
一方、長ねじボルト５０の下端側には、高減衰ゴムブッシュ５６が外嵌されている。このゴムブッシュ５６は、円筒状のブッシュ本体５６ａと、このブッシュ本体５６ａの下端部から径方向外側に延びるように設けられたフランジ部５６ｂとで構成されている。ブッシュ本体５６ａは、固定孔３３ａに挿嵌されている。ブッシュ本体５６ａの上端側には、円環状のゴムパッキン５７が、フランジ部５６ｂとともに下側水平板部３３を上下方向両側から挟み込むように外嵌されている。そして、長ねじボルト５０は、これに螺合された上下一対の金属製ナット５８，５８によって金属製耐震ワッシャ５９を介してゴムパッキン５７及びゴムブッシュ５６を上下方向両側から挟み込むことにより、その下端側が固定孔３３ａにゴムブッシュ５６及びゴムパッキン５７を介して挿嵌固定されている。尚、ゴムブッシュ５６及びゴムパッキン５７が本発明に係るゴム部材を構成している。
【００３４】
上述の如く構成された防振架台１によれば、振動発生機器の作動時には、振動発生機器から発生して上架台２に伝わってきた振動がアイソレーター４によって絶縁、吸収され、それが下架台３に伝わることが抑制される。
【００３５】
また、振動発生機器が地震等によって大きく振動したときには、揺れ止め緩衝ゴム５４が上側水平板部２３に当接することにより、上架台２が上下方向に揺れることが抑制される。
【００３６】
さらに、振動発生機器が地震等によって大きく振動したときには、ゴムブッシュ５２が挿通孔２３ａの内周に当接することにより、上架台２が水平方向に揺れることが抑制される。この抑制について以下、詳細に説明する。
【００３７】
長ねじボルト５０は、その下端側が固定孔３３ａにゴムブッシュ５６及びゴムパッキン５７を介して挿嵌固定されていることにより、その下端側に柔軟性を持たせた構造となるため、上架台２が水平方向に揺れて、ゴムブッシュ５２が挿通孔２３ａの内周に当接すると、長ねじボルト５０が水平方向に傾き、この傾きによってゴムブッシュ５２が挿通孔２３ａの内周に当接したときの水平方向の衝撃を緩衝（吸収）する衝撃緩衝ストローク及び衝撃緩衝時間が長くなり、その衝撃が効果的に緩衝される。
【００３８】
また、ゴムブッシュ５６及びゴムパッキン５７は減衰材であるため、長ねじボルト５０が水平方向に傾くことにより、ゴムブッシュ５２が挿通孔２３ａの内周に当接したときの水平方向の衝撃がゴムブッシュ５６及びゴムパッキン５７によってより一層効果的に緩衝される。
【００３９】
さらに、ゴムブッシュ５２は減衰材であるため、ゴムブッシュ５２が挿通孔２３ａの内周に当接したときの水平方向の衝撃がゴムブッシュ５２によってより一層効果的に緩衝される。
【００４０】
ここで、１軸振動加振機上又は免震フレキ試験機上に本実施形態に係る防振架台１及び従来の防振架台をそれぞれ搭載して水平方向に加振し、各防振架台の振動加速度を測定した。その測定結果から、本実施形態に係る防振架台１の方が従来の防振架台よりも、水平方向の振動低減効果があることが分かった。
【００４１】
−効果−
以上より、本実施形態によれば、長ねじボルト５０を、その上端側を上側水平板部２３の挿通孔２３ａに挿通した状態で、その下端側を下側水平板部３３の固定孔３３ａにゴムブッシュ５６及びゴムパッキン５７を介して弾性的に固定したため、上架台２が水平方向に揺れて、長ねじボルト５０が挿通孔２３ａの内周に当接すると、長ねじボルト５０が水平方向に傾き、この傾きによって長ねじボルト５０が挿通孔２３ａの内周に当接したときの水平方向の衝撃を緩衝する衝撃緩衝ストローク及び衝撃緩衝時間が長くなり、その衝撃が効果的に緩衝される。このため、長ねじボルト５０が挿通孔２３ａの内周に当接したときの水平方向の衝撃を緩衝する衝撃緩衝性が向上して、その衝撃によって振動発生機器が破損する（例えば、その内部構造が破損する）ことが抑制される。
【００４２】
また、挿通孔２３ａを上側水平板部２３に形成し、固定孔３３ａを下側水平板部３３に形成しているため、防振架台１をその下側から組み立てる場合、その組立性が向上する。
【００４３】
さらに、長ねじボルト５０の上端側における挿通孔２３ａに対向する部分に、減衰材としてのゴムブッシュ５２を外嵌しているため、長ねじボルト５０が挿通孔２３ａの内周に当接したときの水平方向の衝撃がそのゴムブッシュ５２によってより一層効果的に緩衝される。このため、長ねじボルト５０が挿通孔２３ａの内周に当接したときの水平方向の衝撃を緩衝する衝撃緩衝性がより一層向上して、その衝撃によって振動発生機器が破損することがより一層抑制される。
【００４４】
（その他の実施形態）
上記実施形態では、上架台２及び下架台３は矩形枠状をなしたが、これに限らず、例えば、正方形枠状をなしても良いし、枠状以外の形状をなしても良い。
【００４５】
また、上記実施形態では、上側水平板部２３が上架台２の上側耐震ブラケット２２の一部を構成し、下側水平板部３３が下架台３の下側耐震ブラケット３２の一部を構成したが、これに限らず、例えば、上側水平板部を上架台２の本体に一体的に設け、下側水平板部を下架台３の本体に一体的に設けても良い。
【００４６】
さらに、上記実施形態では、本発明に係る棒状部材を長ねじボルト５０で構成したが、これに限らず、例えば、頭のあるボルトで構成しても良い。
【００４７】
また、上記実施形態では、挿通孔２３ａを上側水平板部２３に形成し、固定孔３３ａを下側水平板部３３に形成して、長ねじボルト５０を、その上端側を挿通孔２３ａに挿通した状態で、その下端側を固定孔３３ａに弾性的に固定したが、固定孔を上側水平板部２３に形成し、挿通孔を下側水平板部３３に形成して、長ねじボルト５０を、その下端側を挿通孔に挿通した状態で、その上端側を固定孔に弾性的に固定しても良い。
【００４８】
さらに、上記実施形態では、固定孔３３ａを下側水平板部３３に形成して、長ねじボルト５０の下端側を固定孔３３ａに弾性的に固定したが、長ねじボルト５０の下端側を下側水平板部３３に弾性的に固定する限り、その固定方法はこれに限定されない。
【００４９】
また、上記実施形態では、長ねじボルト５０の下端側を固定孔３３ａにゴムブッシュ５６及びゴムパッキン５７を介して挿嵌固定したが、ゴムブッシュ５６及びゴムパッキン５７以外のゴム部材を介して挿嵌固定しても良い。
【００５０】
さらに、上記実施形態では、本発明に係るストッパを揺れ止め緩衝ワッシャ５３及び揺れ止め緩衝ゴム５４で構成したが、これに限らず、例えば、長ねじボルト５０の外周に設けた板状部材で構成しても良い。
【００５１】
また、上記実施形態では、ゴムパッキン５７の上面、ゴムブッシュ５６の下面及びワッシャ５９の軸方向内側の面は平面状をなしたが、これに限らず、例えば、ワッシャ５９の軸方向内側の面は球面状をなし、ゴムパッキン５７の上面及びゴムブッシュ５６の下面は、ワッシャ５９の軸方向内側の面に沿う形状をなしても良い。これによれば、上架台２が水平方向に揺れて、ゴムブッシュ５２が挿通孔２３ａの内周に当接した場合、長ねじボルト５０が水平方向に傾きやすくなり、ゴムブッシュ５２が挿通孔２３ａの内周に当接したときの衝撃がより一層効果的に緩衝される。
【００５２】
さらに、上記実施形態では、溝をゴムブッシュ５２の外周に形成したが、形成しなくても良い。
【００５３】
本発明は、実施形態に限定されず、その精神又は主要な特徴から逸脱することなく他の色々な形で実施することができる。
【００５４】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【産業上の利用可能性】
【００５５】
以上説明したように、本発明に係る防振架台は、棒状部材が挿通孔の内周に当接したときの水平方向の衝撃を緩衝する衝撃緩衝性を向上させて、その衝撃によって振動発生機器が破損することを抑制することが必要な用途等に適用することができる。
【符号の説明】
【００５６】
１      防振架台
２      上架台
２２    上側耐震ブラケット
２３    上側水平板部
２３ａ  挿通孔
３      下架台
３２    下側耐震ブラケット
３３    下側水平板部
３３ａ  固定孔
４      アイソレーター（防振部材）
５      揺れ止め装置
５０    長ねじボルト（棒状部材）
５２    ゴムブッシュ（第２ゴム部材）
５３    揺れ止め緩衝ワッシャ（ストッパ）
５４    揺れ止め緩衝ゴム（ストッパ）
５６    ゴムブッシュ（ゴム部材）
５７    ゴムパッキン（ゴム部材）
【図１】
2013245796.tif 000003
【図２】
2013245796.tif 000004
【図３】
2013245796.tif 000005